(57)【要約】媒体ディスクパッケージは、小売り用セキュリティロック特徴部を有している。ロック特徴部はヘッド部３３及びダガー部３１を有するロック・ダガー７を備え、該ロック特徴部はパッケージ内の媒体ディスク上に重なる内側ディスクトレイ１１と係合可能である。本パッケージは多様なディスクを収容してもよい。
2004533976.tif 000002
【特許請求の範囲】
【請求項１】
ａ）  外側蓋部，背，及び裏蓋パネルを備えるケースと；
ｂ）  上部に形成されたディスク・ロゼットを備えるトレイと；
ｃ）  前記ディスク・ロゼット上に載置された１枚又は２枚以上の媒体ディスクの最上部の少なくとも一部を覆うように形成された内側ディスク蓋部であって、前記トレイにヒンジ結合されかつ前記ディスク・ロゼットと係合可能な延出部を有する内側ディスク蓋部と；
ｄ）  要素として
ｉ）内側ディスク蓋部，及び
ｉｉ）前記内側ディスク蓋部と協働するような形状とされた要素を上部に有するロック・ダガー，
を備えるセキュリティデバイスと；
から構成されてなり、
前記ロック・ダガーは、ロックされるように、かつ成形された前記トレイを開放するために前記ディスク・ロゼットに対する前記内側ディスク蓋部の移動を防止するように、前記内側ディスク蓋部の開口部内に係合可能であることを特徴とする１枚又は２枚以上の媒体ディスクを収納するための貯蔵展示パッケージケース。
【請求項２】
前記ロック・ダガーはヘッド部及びダガー部を備え、前記ヘッド部は該ヘッド部及び前記ダガー部の間に形成された一体成形ヒンジにより前記ダガー部に接続され；前記ヘッド部は前記ヘッド部内に形成されたリブをさらに備えることを特徴とする請求項１記載のパッケージケース。
【請求項３】
前記ロック・ダガーの前記ヘッド部は、前記セキュリティデバイスが係合した場合に、前記内側ディスク蓋部の少なくとも一部の上に重なるタブをさらに備えることを特徴とする請求項１記載のパッケージケース。
【請求項４】
前記ロック・ダガーの前記ダガー部は、前記ロックが係合した場合に、最下位媒体ディスクの下方のトレイ上に重なるように構成されていることを特徴とする請求項１記載のパッケージケース。
【請求項５】
前記内側ディスク蓋部は、前記内側ディスク蓋部が閉鎖された場合に前記ディスク・ロゼット内に挿入されるサイズとされかつ配置される延出部をさらに備えることを特徴とする請求項１記載のパッケージケース。
【請求項６】
前記延出部は、各側方壁部、及び前記蓋部から離れた箇所の前記各側方壁部の間に延在しているブリッジ部を備えることを特徴とする請求項５記載のパッケージケース。
【請求項７】
前記内側ディスク蓋部が、周囲端縁にて前方延長部をさらに備えることを特徴とする請求項１記載のパッケージケース。
【請求項８】
前記前方延長部は、前記ロック・ダガーの前記ヘッド部上に形成された各歯を収容するようなサイズとされた各開口部を備えることを特徴とする請求項７記載のパッケージケース。
【請求項９】
前記外側蓋部は、前記パッケージケースの内部に随意に折り畳まれる１枚又は２枚以上の内側パネルを形成する延長部をさらに備えることを特徴とする請求項１記載のパッケージケース。
【請求項１０】
前記トレイが該トレイの表面に形成された各溝を備えることを特徴とする請求項１記載のパッケージケース。
【請求項１１】
ａ）  上端にてタブを有しかつ下端にてダガー部に接続されたヘッド部を備え、前記ダガー部は前記ヘッド部の下端から同一平面外方に延出しかつ前記ヘッド部下端に結合されかつ離れた先端にて終端し；かつ前記ヘッド部内に形成されたリブを備えたロック・ダガー；及び
ｂ）  １枚又は２枚以上の媒体記憶ディスクを保持するためにトレイに取り付けられた内側ディスク蓋部であって、前記トレイと係合するための延出部をさらに備えた内側ディスク蓋部；
からなる各媒体ディスクを収容するトレイを有する媒体パッケージケースのためのロックシステムであって、
前記内側ディスク蓋部を前記トレイと係合することにより、続いて前記ロック・ダガーを前記内側ディスク蓋部と係合することにより作用されることを特徴とするロックシステム。
【請求項１２】
前記ヘッド部，前記タブ，及び前記ダガー部が単一パーツとして形成され、かつ前記トレイ及び前記内側ディスク蓋部が単一パーツとして形成されることを特徴とする請求項１１記載のロックシステム。
【請求項１３】
前記ロック・ダガーの前記ヘッド部は、前記ヘッド部内に形成された各ロック・スナップをさらに備えることを特徴とする請求項１１記載のロックシステム。
【請求項１４】
前記ロック・ダガーの前記ヘッド部は、前記ロックシステムが係合した場合に、前記内側ディスク蓋部の少なくとも一部の上で重なるタブをさらに備えることを特徴とする請求項１３記載のロックシステム。
【請求項１５】
前記ロック・ダガーの前記ダガー部は、前記ロックシステムが係合した場合に、最下位媒体ディスクの下方のトレイ上に重なるように構成されていることを特徴とする請求項１１記載のロックシステム。
【請求項１６】
前記内側ディスク蓋部は、周囲端縁にて前方延長部をさらに備えることを特徴とする請求項１１記載のロックシステム。
【請求項１７】
前記前方延長部は、前記ロック・ダガーの前記ヘッド部上に形成された各歯を収容するようなサイズとされた各開口部を備えることを特徴とする請求項１６記載のロックシステム。
【請求項１８】
前記延出部は、各側方壁部、及び前記蓋部から離れた箇所の前記各側方壁部の間に延在するブリッジ部を備えることを特徴とする請求項１１記載のロックシステム。
【発明の詳細な説明】
【技術分野】
【０００１】
本発明は、コンパクトディスク（ＣＤ）フォーマットであろうとディジタルビデオディスク（ＤＶＤ）フォーマットであろうと光ディスクとしても知られている情報記憶媒体のための安全なパッケージ（secure packaging）の一形態に関するものである。パッケージは、パッケージ内に収容されるロック特徴部を有し、かつ該ロック特徴部によりディスク媒体の取り外しが防止されている。
【背景技術】
【０００２】
本出願は、２００１年７月６日に提出された米国特許仮出願第60/303,060号明細書の優先権を請求しており、本明細書は該仮出願の内容を含んでいる。
【０００３】
ＣＤ及びＤＶＤといった情報記憶媒体の窃盗を防止することは、小売業の重要な問題である。ディスクが載置されているセンターハブからディスクを押しのけかつパッケージの両蓋の間に開口部を形成するのに充分にパッケージを歪めることにより、媒体ディスクが通常のパッケージ（例えば、ジュエルケースパッケージ）からするりと外されるので、通常の媒体ディスクパッケージでは、そのような在庫品の紛失が生じる。つまり、ディスクがパッケージからそっと外されている。このタイプの窃盗を防止し、かつディスク媒体がパッケージ内に収納されている間、外されることを防止するようにディスク媒体を守るパッケージに対し、よく認識された要求がある。これらの要求は、本発明のパッケージ及びセキュリティロック特徴部が目指したものである。
【発明の開示】
【課題を解決するための手段】
【０００４】
本発明は、通常約１〜４枚の多様なディスクのための貯蔵展示パッケージケースであって、該ケースは、取引先小売店が内部のグラフィックス及びブックレットに対してアクセスすることを可能とするが、ディスクの取り外しを認めないセキュリティデバイスを含んでいる。セキュリティデバイスは、要素として、ロック・ダガー（locking dagger）及び媒体品を保持するためのトレイに取り付けられた内側ディスク蓋部（inner disc cover）を備えており、パッケージをロックしかつ開放するために、ロック・ダガーが内側ディスク蓋部と係合されかつ係合解除される。
【０００５】
一態様では、パッケージケースは、成形されたプラスチック製トレイが内部に収容されたケースを備えており、該トレイは一体ヒンジ結合されて該トレイに取り付けられた内側ディスク蓋部を有している。内側ディスク蓋部は、さらに、トレイ部と一体形成される以外の手段により別体に形成されかつしっかりと取り付けられてもよい。トレイの底部は、単一のシート状材料により形成された外側蓋、背、及び裏蓋のパネルに取り付けられている。通常、トレイは、各ディスクに対する載置ハブとして作用するロゼットとともに形成されてもよい。蓋、背、及び裏蓋のパネルの内側表面及び外側表面は、グラフィックス又はテキストにより印刷されてもよく、さらに３次元（例えば、ホログラフィック、レンズ状）印刷といった装飾技術を含んでもよい。この態様において、さらに、外側蓋，背，及び裏蓋の各パネル要素のあらゆる組み合わせが本発明の範囲内にあるので、単一のシート状材料の使用は制限的に解釈されるべきではない。
【０００６】
内側ディスク蓋部は、成形されたトレイのディスク・ロゼット・ボス内に嵌められる内側ディスク蓋延出部を通過するダガー部を備えてなるロック・ダガーにより確実にロックされて閉鎖される。ロック要素は、好ましくは、一体成形ヒンジによりヘッド部に接続されたダガー部を備えている。好ましくは、ロック要素は、内側ディスク蓋部と係合するために、ロック要素の表面上に１つ又は２つ以上のロック・スナップ（好ましくは一対のロック・スナップ）を有するタブをさらに備えてもよい。さらに、ヘッド部は、好ましくはヘッド部内で長手方向に位置決めされている１つ又は２つ以上のロック・ストラップに取り付けられている。内側ディスク蓋部は、ヘッド部内のロック・ストラップを切り取ることにより解放されてもよい。これにより、ヘッド部が曲がることを可能とし、かつ内側（トレイ）蓋部内の２つの孔と係合する２つのロック・スナップ（歯）及び前方トレイ延長部内の孔と係合するロック・スナップを解放することを可能とする。ロック・ストラップ・ダガー部が除去されると、内側ディスク蓋部が開放可能となる。成形されたトレイは、ブックレットを保持するためのタブ、各ディスクの挿入及び取外しのための指用くぼみ（finger well）、１つ又は２つ以上のディスク展示／挟みスロット（disc display/organizer slot）、及び外側蓋部を閉鎖状態に保持するための追加のタブを有している。
【０００７】
本発明による媒体セキュリティ小売りパッケージは、トレイ内に１枚〜４枚のディスクを収容し、前記トレイは内側ディスク蓋部により覆われている。小売りする間、内側ディスク蓋部は、セキュリティタグ又はロック・ダガーにより所定位置にロックされている。ロック・ダガーは突出部を内側ディスク蓋部に係合し、かつダガーが所定位置に保持されている間、蓋部をロックしている。ロック・ダガー上のリブを切断することにより、ダガーが曲げられ又は回動され、よって蓋部から係合解除される。次いで、ロック・ダガーが取り外されて蓋部を解放することができる。
【０００８】
トレイ及び内側ディスク蓋部は一体に成形される。内側ディスク蓋部は、好ましくは一体成形ヒンジにより、トレイの後端縁に取り付けられている。一態様において、内側ディスク蓋部は、ディスク形状部、及びトレイ内の指用くぼみを覆うために前記形状部から半径方向に延在する指用くぼみ被覆延長部を有している。内側ディスク蓋部は、さらに、下側に保持される各ディスクの一部のみを覆うように、又は各ディスクの周縁部を越えて外側蓋部の周囲と等しいかそれより小さいサイズに延在するように種々の形状に構成されてもよい。トレイは、ディスクの中央開口部内に嵌めるための中央隆起ボスを有している。内側ディスク蓋部上の延出部は、ボス内の中央開口部内に嵌まる。該延出部は、好ましくは、内側ディスク蓋部から垂直延出部として形成され、内側ディスク蓋部が閉鎖されるときに下向きに突出する。このような態様では、前記延出部が、各側方壁部と、蓋部から離れ各側方壁部の間に延在するブリッジ部とを有している。蓋部がトレイ上に閉鎖された場合、ブリッジ部はトレイの底部と整列している。ロック・ダガーのダガー部は、蓋延出部の各側方壁部の間及びブリッジ部上に取り付けられるように構成されており、よって、ロック・ダガーが退出されるまで、ダガー部はロック位置に内側ディスク蓋部を保持する。この手法では、ダガー部が、内側ディスク蓋部の下方で係合され、好ましくは１枚又は２枚以上の媒体ディスクの下方で係合されている。好ましくは、ダガー部が、最下位ディスクの下方のトレイの表面近くで延出部と係合する。
【０００９】
貯蔵展示パッケージの蓋部は、シート状材料により作られ、かつトレイのベースに固定されている。あらゆるシート状材料が利用可能である。蓋部は、両面にグラフィックスが印刷されてもよい。トレイの底部に取り付けられた蓋部のグラフィックスは、透明トレイを介して見ることができる。この点で、ロック・ダガーが内側ディスク蓋部を保持しかつトレイから各ディスクの取り出しを防止している間、蓋部の内側表面は蓋部を開放することによりグラフィックスを見るために利用可能である。外側蓋部は、追加パネルとしてパッケージ内部に折り畳む延長部、又は追加の外部表面エリアを提供するためにトレイの周縁部を越えて延在する延長部を備えてもよい。
【００１０】
本発明のパッケージが使用される予測可能な環境では、一度パッケージが検査されると、取引先小売店はパッケージを購入する。次に、小売店店員又は顧客がロック・ダガー上のリブを切断する。次いで、内側ディスク蓋部の延長部内の各孔からタブ上の各内側歯を解放するために、ヘッド部のタブがダガーの前端部に沿って曲げられる。次に、ロック・ダガー全体が、パッケージから退出される。トレイの凹所内に貯蔵された１枚又は２枚以上のディスクに対するアクセスを提供するために内側ディスク蓋部が持ち上げられるように、ロック・ダガーの退出により、内側ディスク蓋部上の延出部が解放される。
【００１１】
一旦、ロック・ダガーが退出したならば、ロック・ダガーは捨てられる。顧客によるパッケージケースの使用には、外側蓋部を開放し、かつトレイ凹所内に保持された各ディスクに対するアクセスを提供するために内側ディスク蓋部を開放することが単に必要とされる。各ディスクは、トレイの表面に形成された溝内に一時的に貯蔵されてもよい。各ディスクを取り外した後、内側ディスク蓋部は、凹所内への埃の進入を防止するために閉鎖されてもよい。凹所内に各ディスクを戻すためには、内側ディスク蓋部が開放される。各ディスクが凹所内に挿入され、内側ディスク蓋部が閉鎖される。次いで、外側蓋部が閉鎖され、かつパッケージを閉鎖状態に維持するために、外側蓋部の前方端縁がトレイ・リムの上側端縁上で内側に延出している各タブの下側に配置される。蓋部を開放しかつ閉鎖する場合に、内側ディスク蓋部を持ち上げかつ外側蓋部を低くすることにより、両方の蓋部が一度に移動してもよい。指又は親指のアクセスを容易にするために、内側ディスク蓋部の延長部がトレイの前方壁部の開口部内に位置決めされている。外側蓋部は、下方にそして蓋部の前方に押すことにより簡便に閉鎖される。
【００１２】
プラスチック材料から各パーツを形成する他のあらゆる方法が使用されてもよいが、好ましくは、パッケージは、例えば射出成形プロセスにおいて、３つのパーツに形成される。分離パーツが形成されるといった実施形態では、成形されるトレイ及び内側ディスク蓋部が単一パーツとして形成される。ロック・ダガーに関して、ヘッド部（ロック・タブを含む）及びダガー部が他のパーツとして形成される。他のパーツである外側蓋部は、背中合わせの両面に印刷された３つの部分を有するシート状材料により形成されている。もし所望するならば、選択肢として、外側蓋部，トレイ，及び内側ディスク蓋部が、単一パーツとして共に形成されてもよい。種々のパーツの組立中に、蓋部の下側ベース部がトレイ底部に取り付けられる。蓋部の回動部がトレイの後方表面上に重なり、かつシート状材料の蓋部がトレイ及び内側ディスク蓋部の上部に重なる。
【００１３】
パッケージを完成させると、シート状材料のベースは、トレイのベースに機械的に取り付けられ、接着され、あるいは結合される。次いで、各ディスクがトレイの凹所内に配置される。外側蓋部の前方端縁がトレイの前方リム上で内側に延出しているタブの下側に挿入されて、内側ディスク蓋部及び外側蓋部が閉鎖される。
【００１４】
あるいは、まず各ディスクが透明トレイ内に載置され、内側ディスク蓋部が各ディスク上に閉鎖される。ロック・ダガーが、トレイ内に挿入されかつ内側ディスク蓋部からの延出部のブリッジ上方に挿入される。内側ディスク蓋部及びトレイベースの前方延長部に開口部を有するタブに内側延出歯を係止することにより、ロック・ダガーが所定位置に留められる。次いで、トレイのベースが、予め印刷されたシート状材料に機械的に取り付けられ、接着され、又は結合される。シート状材料の回動部及び蓋部は、トレイの背面及び上面で折り畳まれ、蓋部の前方端縁がトレイの前方リムの各タブの下方に挿入され、パッケージが完成する。
【００１５】
内側ディスク蓋部上のトレイのリム内に、各ブックレットが挿入されてもよい。各ブックレットは、トレイ・リムの上側端縁上の内側延出タブの下方に保持される。内側ディスク蓋部が閉鎖位置にある場合、内側ディスク蓋部がトレイの上側表面と面一となるように、内側ディスク蓋部はトレイの背面のリム上部の下方の位置にヒンジ結合されている。外側蓋部が、前方リム及び側方リムの上部端縁の各内側延出タブの下方にて保持されてもよい。
【００１６】
外側蓋部の内側表面のグラフィックスに対するアクセスを提供するために、凹所内に存在する各ディスクを示すために、かつトレイのリム内でタブの下側に保持されるブックレットに対するアクセスを提供するために、外側蓋部が容易に持ち上げられる。外側蓋部を開放するには、単にトレイの前方端縁での各リム間の中央スペースにおける外側蓋部の前方端縁上で後方に押し込むことが単に必要とされる。これは、外側蓋部の前方端縁を後方に押し込み、かつトレイの前方リム上で内側延出する各タブから外側蓋部の前方端縁を解放する。蓋部の端縁を持ち上げることにより、蓋部が撓み、かつトレイの両側方リムにて横断方向へと内側に延出している各タブから蓋部の両端縁が取り外される。ブックレットと内側蓋部のグラフィックスが取り外されかつ検討されたのち、ブックレットは各タブの下に戻され、かつ外側蓋部が閉鎖される。蓋部の概略中央領域で内側に押し込むことにより、蓋部の両端縁がリム上の横断方向へと内側延出する各タブの下方に戻される。蓋部を前方に押し込むことにより、蓋部の前方端縁がトレイの前方リム上で内側延出する各タブの下方に戻される。
【００１７】
本発明の上記目的及び特徴点、更なる目的及び特徴点、及び他の目的及び特徴点が、本明細書にて明らかにされ、本発明は特許請求の範囲及び図面とともに、上記内容及び引き続き記載される明細書の内容を含んでいる。
【発明を実施するための最良の形態】
【００１８】
図１を参照すると、ロック・セキュリティ・ディスク小売りパッケージが、概略的に符号１により示されている。図２に示すように、パッケージの外側蓋部３が持ち上げられて、外側蓋部の内側表面にグラフィックスを示し、かつ取り外しに対して各ディスクを解放することなく、パッケージ内に各ディスク５が存在することを明らかにしている。トレイ１１内の各ディスクに対してアクセスするために内側ディスク蓋部９を持ち上げることを可能とするように、セキュリティロック７が部分的に取り外されているパッケージが図３に示されている。
【００１９】
図３に示すように、トレイは、１枚〜４枚のディスクを保持する中央くぼみ（すなわち凹所）１５を備える平坦な上側表面１３を有している。平坦な上側表面１３は、アクセスに備えて各ディスクを直立させて貯蔵するために、各ディスクがトレイから取り外された後、各ディスクの端縁を保持する溝１７を有している。トレイのくぼみ（すなわち凹所）１５は、各ディスクの周縁端部をつかみ、かつ凹所１５から各ディスクを取り外すための各指用くぼみ１９を有している。
【００２０】
内側ディスク蓋部９は、内側ディスク蓋部が閉鎖されている間各ディスクを持ち上げようと試みようと各指用くぼみに対してアクセスすることを防ぐために、かつ凹所１５内及び該凹所内に貯蔵された各ディスクに埃が進入することを防止するために、各指用くぼみ１９を覆う延長部２１を有している。さらに、内側ディスク蓋部９は、周縁端部に前方延長部２３を有し、これは内側ディスク蓋部を持ち上げるために使用される。内側ディスク蓋部９の前方延長部２３は、ロックが意図的に無力にされるまでロックがケースから退出することを防止するために、ロック７のタブ２５上で内側に延出している各歯と係合する２つの開口部２４を有している。
【００２１】
図４に示すように、セキュリティロックは凹所１５の下側のトレイを通りかつ内側ディスク蓋部９からの延出部２７を通って延在している。外側蓋部３は、内側ディスク蓋部がセキュリティロック状態に保持されている間、開放されてもよい。セキュリティ・タブ２８が、内側ディスク蓋部の前方延長部２９上に示されており、かつセキュリティロックのダガー部３１がトレイ１１内の凹所１５の下側に位置決めされている。
【００２２】
蓋パネルの両面、及び背面パネルの内側及び外側表面に、グラフィックスが形成されている。好適な実施形態のトレイは、透明プラスチックにより作られており、背面パネルの内側表面上のグラフィックスを読み取ることを可能にしている。セキュリティロックは、セキュリティロックが所定位置にあることを示すために対照的に引き立たせる材料（contrasting material）により作られている。
【００２３】
図５〜図９は、ロック７を示している。ヘッド部３３は、一体成形ヒンジ３５によりダガー部３１の前方端部に結合されている。リブ３７とヘッドのベース４１の前方延長部３９とは、中央リブ４３が切断されるまで、ヘッド３３の一体成形ヒンジを中心とする回動を防止している。タブ２５下方の各歯４５は、内側ディスク蓋部の前方延長部における各開口部と係合する。歯４７はトレイベースの前方延長部の開口部と係合する。
【００２４】
図１０は、外側蓋部３が開放され、かつ内側ディスク蓋部９が閉鎖されかつセキュリティロック７によりロックされた新規なパッケージ１を示している。トレイベース１１は、側方端縁５１，前方端縁５３，及び後方端縁５５に沿って延在している各リム５１を有している。後方端縁における各リム間の開口部５７は、一体成形ヒンジ６１による内側ディスク蓋部９のトレイ１１に対する結合を可能としている。トレイベースの前方リムは、内側ディスク蓋部９からの前方延長部６３に対するアクセスを提供する開口部５９を有している。
【００２５】
各側方リム上の内側延出タブ６５は、外側蓋部を閉鎖状態に保持する。各側方タブは、２カ所又は４カ所に配置されてもよい。各前方リムの上端縁における各内側延出タブ６７も、外側蓋部を閉鎖状態に保持する。後方リムに沿う各タブ６９は、トレイの上側表面及び閉鎖された内側ディスク蓋部９の上側表面上の所定位置にブックレットを保持するように、内側に延出している。内側ディスク蓋部９は、内側ディスク蓋部を強化しかつ該蓋部が一体成形ヒンジから容易に取り外されないことを確実にするために、この実施形態では三角エリアにて補強されている。凹所７１が内側ディスク蓋部の三角エリア内に形成されている。
【００２６】
図１１Ａにおけるトレイ１１，各ディスク５，及び各シート状材料パネルの前後方向断面図に示すように、トレイは通常のディスクくぼみ部内に４枚までのディスクを保持する凹所１５を覆っている。中央ボス７３は、各ディスク５の内側開口部７５を固定するために、トレイベースから上方に延出している。内側ディスク蓋部は一体成形ヒンジにより後方壁部７７に結合されている。
【００２７】
内側ディスク蓋部は、トレイ１１の中央ボス７３の中央開口部８３を通って下向きに延出している中央延出部８１を有している。ロック位置では、ロック７のダガー部３１が、前記延出部の前後の各開口部８５を通りかつ蓋部を閉鎖位置に保持するために該延出部の各側方壁部と接続しているブリッジ上に延在している。同時に、セキュリティロックの前方におけるタブが、内側ディスク蓋部の前方延長部を保持している。
【００２８】
各リムはトレイ１１の平坦表面９１から上向きに延出している。図１１Ａに示すように、前方リム及び後方リムは、各リムの上端縁にて内側に延出しているタブを有している。後方リムは、前方リム及び側方リムよりも短い。外側蓋部は、閉鎖時、前方リム及び側方リムの内側に嵌りかつ後方リム上に載っている。後方リムは、トレイの内側表面９１の上部及びトレイの平坦内側表面と面一である閉鎖された内側ディスク蓋部９の上方表面上にブックレットを保持する内側延出タブ６９を有している。内側ディスク蓋部は、通常貯蔵容器用ボス上に各ディスクをロック状態に維持している。ダガー部及びタブは、小売り展示用途のために、ボスに対して各ディスクをロック状態に維持している。ブックレットは各ディスク及び内側ディスク蓋部上を進む。この構成により、セキュリティロックの前部のリブを切断した後、ユーザがパッケージを開放することが可能となるが、パッケージが小売店で使用されているときには、ディスクくぼみ部内に各ディスクを固定状態に維持する。
【００２９】
図１１Ｂは、図１１Ａに示した図と同様の断面図を示している。内側ディスク蓋部（すなわちディスクドア）上の凹所及び三角エリアの一体成形ヒンジは、一体成形ヒンジを除いて、曲げに対して保護している。三角エリアはディスクドアを補強している。内側延出部８１近くのディスクドア９の中央部分は、内側延出部を取り囲んで延出している円形リム９３を有している。円形リムは、各ディスクの移動を防止するために、ディスクの最上部と係合する。
【００３０】
図１２は同様の断面図を示している。図１２には、明瞭化のために各ディスクが省略されている。トレイベースに取り付けられかつ該トレイベース上にて一体成形されたボスが示されている。ボスは、ダガー部３１が所定位置にあるときにロック上に重なるように、ベースの近くに半径方向延長部を有している。ダガー部は、トレイベース上に重なりかつ蓋部（すなわちディスクドア）からの延出部のブリッジ部８７上に重なっている。
【００３１】
図１３は、ヘッド部３３の中央リブ４３が切断されて、ダガー・ストリップ部３１に対してヘッド部が回動可能とされるパッケージ１を示している。ロック７は、トレイから部分的に退出された状態に示されている。内側ディスク蓋部すなわちディスクドア９の前方延長部９５は、パッケージがロック状態にある場合に、ヘッドタブの下側の各歯４５と係合する２つの開口部９５を有している。各穴及び各歯により、ロックが矢印の方向へと外側に移動することを防止する。ヘッド部３３の中央リブにより、リブ４３が切断されるまで各歯４５が各開口部９７から係合解除するようにヘッドが回動することを防止する。ヘッド３３のタブ部及び内側ディスク蓋部９の前方延長部は、パッケージが製造されかつ内側ディスク蓋部を固定するためにロックが挿入されたときに、各歯が前方延長部の上に重なることを可能とするように十分に可撓性を有している。各歯は、ロック位置へのスナップ嵌合を促すように、背面にて傾斜している。
【００３２】
図１４は、トレイ上の蓋取付体を概略的に示している。シート状材料１０１は、３つの部分、すなわちトレイ１１に取り付けられているベース１０３、トレイの背面上を覆っている背１０５、及びトレイの上部に重なっている蓋部３を有している。トレイの上表面には、ディスク展示のための挟み特徴部として各溝が形成されている。
【００３３】
図１５は、各ディスクが挿入される前の組み立てられたトレイ及びシート状材料を示している。指用くぼみは、底のディスクを取り外す際に助けとなるように、各内側延出凹所１０７を有している。各タブ６９は、前方リム及び後方リムの双方から内側に延出するように示されている。前方リム上の各ブックレットタブは、蓋小売用タブ６７よりも低い。
【００３４】
図１６は、トレイ１１内の１枚から４枚のディスク５の挿入を示している。図１７は、内側蓋部及び外側蓋部の双方が開いているトレイ内に挿入された各ディスクを示している。図１８はパッケージ内に挿入されたセキュリティロックを示している。セキュリティロックが挿入され、小売店で内側パネル上のグラフィックスを見るために上部カバーが開放可能となっている。内側ディスク蓋部は、各ディスクを保持する凹所内に各ディスクをロックしている。図１９は、外側蓋部が閉鎖されたパッケージを示している。外側蓋部の前方端縁は、トレイの前方リムの上側端縁から内側に延出している各タブ６７により閉鎖保持されている。図２０はパッケージに挿入され又はパッケージから除去されたロック７を示している。
【００３５】
図２１は取り付けられた内側ディスク蓋部が閉じられたトレイの上面図である。図２２は内側ディスク蓋部が閉じられたトレイの底面図である。図２３は成形された位置でのトレイと内側ディスク蓋部の上面図である。図２４は成形された位置でのトレイと内側ディスク蓋部の底面図である。図２５は外側蓋部が開放され、セキュリティ・ロックが通常の日常使用のために外されたパッケージの図である。
【００３６】
本発明はサイズ形状及び機能性が異なる各情報記憶媒体ディスクを包装するために種々の実施例で使用されても良い。本発明が多様なディスクを同様のパッケージ内に収容することを可能とする点において、本発明は包装の際に有利点を提供している。変位することを防止しかつ窃盗を防止するために各ディスクを安全に維持しかつ所定位置にロックする点で、本発明は貯蔵時に有利点を提供する。グラフィックス及び他の印刷された情報を表示する一方で、各ディスクを取り外すことができないように各ディスクのセキュリティを維持するようにパッケージケースを開放可能であるので、パッケージの展示の面で有するべきさらなる有利点がある。さらに、セキュリティデバイスは、パッケージ表面の広いエリアを占めないが、むしろいじくっていることを検出するために容易に見えることを可能にしている。上記及び他の利点は、請求している本願発明に属している。
【００３７】
特定の実施形態に関して本発明を記載してきたが、本発明の変更例及び変形例が本発明の範囲を逸脱することなく組み立てられてもよく、この点は本特許請求の範囲に規定されている。
【図面の簡単な説明】
【００３８】
【図１】閉鎖されたボックスを示すディスクボックスの詳細図である。
【図２】開放された外側蓋部を示すボックスの詳細図である。
【図３】引き出されたロック・ダガー及び開放された内側ディスク蓋部を示すボックスの詳細図である。
【図４】所定位置のロック・ダガー及び内側ディスク蓋部の上部のセキュリティ・タブ・ロックを示すボックスの斜視図である。
【図５】セキュリティ・ロックの斜視詳細図である。
【図６】セキュリティ・ロックの正面図である。
【図７】セキュリティ・ロックの底面図である。
【図８】セキュリティ・ロックの端部を示す図である。
【図９】内側ディスク蓋部を解放するためにヘッド部が下向きに曲げられたセキュリティ・ロックの上面図である。
【図１０】外側蓋部が開放されたボックス及びタブが内側ディスク蓋部をロックする所定位置にあるセキュリティ・デバイスの斜視図である。
【図１１Ａ】内側ディスク蓋部を取り付けるために、所定位置にタブを有するボックスの断面図である。
【図１１Ｂ】所定位置にてロック・ダガーにより閉鎖状態に保持された内側ディスク蓋部を示す断面図である。
【図１２】ロック・ダガー及び内側ディスク蓋部及びトレイの関係を示す断面図である。
【図１３】外側蓋部が開放されかつロック・ストラップを開放することにより内側ディスク蓋部が解放されたボックスの断面図である。
【図１４】ボックスの各要素を示す図である。
【図１５】内側ディスク蓋部が開放されたボックスの要素を示す図である。
【図１６】トレイ内に挿入された各ディスクを示す図である。
【図１７】トレイに対して開放位置にある外側蓋部及び内側ディスク蓋部を示す図である。
【図１８】外側蓋部が開放され、内側ディスク蓋部が閉鎖され、かつタブがロックされて、各ディスクを護っている状態を示す図である。
【図１９】閉鎖されたボックスを示す図である。
【図２０】ボックスが閉鎖された後、セキュリティ・タブがボックス内に挿入されている状態を示し、さらにセキュリティ・タブを取り外している状態を示す図である。
【図２１】他の蓋部が取り外されたトレイを示す図である。
【図２２】トレイの底面図である。
【図２３】トレイと内側ディスク蓋部との成形位置を示す図である。
【図２４】成形位置におけるトレイ及び成形された内側ディスク蓋部の底面図である。
【図２５】内側ディスク蓋部が閉鎖され、外側蓋部が開放され、セキュリティ・タブが取り外された状態の成形されたトレイを示す図である。
【符号の説明】
【００３９】
９  内側ディスク蓋部
１１  トレイ
２５  タブ
３１  ダガー部
３３  ヘッド部
３５  一体成形ヒンジ
３７  リブ
８７  ブリッジ部
９５  開口部
【国際公開パンフレット】
2004533976.tif 000003
2004533976.tif 000004
2004533976.tif 000005
2004533976.tif 000006
2004533976.tif 000007
2004533976.tif 000008
2004533976.tif 000009
2004533976.tif 000010
2004533976.tif 000011
2004533976.tif 000012
2004533976.tif 000013
2004533976.tif 000014
2004533976.tif 000015
2004533976.tif 000016
2004533976.tif 000017
2004533976.tif 000018
2004533976.tif 000019
2004533976.tif 000020
2004533976.tif 000021
2004533976.tif 000022
2004533976.tif 000023
2004533976.tif 000024
2004533976.tif 000025
2004533976.tif 000026
2004533976.tif 000027
2004533976.tif 000028
2004533976.tif 000029
2004533976.tif 000030
2004533976.tif 000031
2004533976.tif 000032
2004533976.tif 000033
2004533976.tif 000034
2004533976.tif 000035
2004533976.tif 000036
2004533976.tif 000037
2004533976.tif 000038
2004533976.tif 000039
2004533976.tif 000040
2004533976.tif 000041
2004533976.tif 000042
2004533976.tif 000043
2004533976.tif 000044
【国際公開パンフレット（コレクトバージョン）】
2004533976.tif 000045
2004533976.tif 000046
2004533976.tif 000047
2004533976.tif 000048
2004533976.tif 000049
2004533976.tif 000050
2004533976.tif 000051
2004533976.tif 000052
2004533976.tif 000053
2004533976.tif 000054
2004533976.tif 000055
2004533976.tif 000056
2004533976.tif 000057
2004533976.tif 000058
2004533976.tif 000059
2004533976.tif 000060
2004533976.tif 000061
2004533976.tif 000062
2004533976.tif 000063
2004533976.tif 000064
2004533976.tif 000065
2004533976.tif 000066
2004533976.tif 000067
2004533976.tif 000068
2004533976.tif 000069
2004533976.tif 000070
2004533976.tif 000071
2004533976.tif 000072
2004533976.tif 000073
2004533976.tif 000074
2004533976.tif 000075
2004533976.tif 000076
2004533976.tif 000077
2004533976.tif 000078
【手続補正書】
【提出日】平成15年9月17日(2003.9.17)
【手続補正１】
【補正対象書類名】特許請求の範囲
【補正対象項目名】全文
【補正方法】変更
【補正の内容】
【特許請求の範囲】
【請求項１】
外側蓋部，背，及び裏蓋パネルを備えるケースと、上部に形成されたディスク・ロゼットを備えるトレイと、前記ディスク・ロゼット上に載置された１枚又は２枚以上の媒体ディスクの最上部の少なくとも一部を覆うように形成された内側ディスク蓋部であって、前記トレイにヒンジ結合されかつ前記ディスク・ロゼットと係合可能な延出部を有する内側ディスク蓋部と、要素として内側ディスク蓋部を備えるセキュリティデバイスと、を備えた１枚又は２枚以上の媒体ディスクを収納するための貯蔵展示パッケージケースにおいて、
前記内側ディスク蓋部と協働するような形状とされた要素を上部に有するロック・ダガーをさらに備え、かつ前記ロック・ダガーは、ロックされるように、かつ成形された前記トレイを開放するために前記ディスク・ロゼットに対する前記内側ディスク蓋部の移動を防止するように、前記内側ディスク蓋部の開口部内に係合可能であることを特徴とするパッケージケース。
【請求項２】
前記ロック・ダガーはヘッド部及びダガー部を備え、前記ヘッド部は該ヘッド部及び前記ダガー部の間に形成された一体成形ヒンジにより前記ダガー部に接続され；前記ヘッド部は前記ヘッド部内に形成されたリブをさらに備えることを特徴とする請求項１記載のパッケージケース。
【請求項３】
前記ロック・ダガーの前記ヘッド部は、前記セキュリティデバイスが係合した場合に、前記内側ディスク蓋部の少なくとも一部の上に重なるタブをさらに備えることを特徴とする請求項２記載のパッケージケース。
【請求項４】
前記ロック・ダガーの前記ダガー部は、前記ロックが係合した場合に、最下位媒体ディスクの下方のトレイ上に重なるように構成されていることを特徴とする請求項２又は３の何れかに記載のパッケージケース。
【請求項５】
前記内側ディスク蓋部は、前記内側ディスク蓋部が閉鎖された場合に前記ディスク・ロゼット内に挿入されるサイズとされかつ配置される延出部をさらに備えることを特徴とする請求項１乃至４の何れか１項に記載のパッケージケース。
【請求項６】
前記延出部は、各側方壁部、及び前記蓋部から離れた箇所の前記各側方壁部の間に延在しているブリッジ部を備えることを特徴とする請求項５記載のパッケージケース。
【請求項７】
前記内側ディスク蓋部が、周囲端縁にて前方延長部をさらに備えることを特徴とする請求項１乃至６の何れか１項記載のパッケージケース。
【請求項８】
前記前方延長部は、前記ロック・ダガーの前記ヘッド部上に形成された各歯を収容するようなサイズとされた各開口部を備えることを特徴とする請求項７記載のパッケージケース。
【請求項９】
前記外側蓋部は、前記パッケージケースの内部に随意に折り畳まれる１枚又は２枚以上の内側パネルを形成する延長部をさらに備えることを特徴とする請求項１乃至８の何れか１項記載のパッケージケース。
【請求項１０】
前記トレイが該トレイの表面に形成された各溝を備えることを特徴とする請求項１乃至９の何れか１項記載のパッケージケース。
【請求項１１】
上端にてタブを有しかつ下端にてダガー部に接続されたヘッド部を備え、前記ダガー部は前記ヘッド部の下端から同一平面外方に延出しかつ前記ヘッド部下端に結合されかつ離れた先端にて終端し、かつ前記ヘッド部内に形成されたリブを備えたロック・ダガー、及び１枚又は２枚以上の媒体記憶ディスクを保持するためにトレイに取り付けられた内側ディスク蓋部であって、前記トレイと係合するための延出部をさらに備えた内側ディスク蓋部、を備えた各媒体ディスクを収容するトレイを有する媒体パッケージケースのためのロックシステムであって、前記内側ディスク蓋部を前記トレイと係合することにより、続いて前記ロック・ダガーを前記内側ディスク蓋部と係合することにより作用されるロックシステムにおいて、
前記リブを切断することにより係合解除されることを特徴とするロックシステム。
【請求項１２】
前記ヘッド部，前記タブ，及び前記ダガー部が単一パーツとして形成され、かつ前記トレイ及び前記内側ディスク蓋部が単一パーツとして形成されることを特徴とする請求項１１記載のロックシステム。
【請求項１３】
前記ロック・ダガーの前記ヘッド部は、前記ヘッド部内に形成された各ロック・スナップをさらに備えることを特徴とする請求項１１又は１２の何れかに記載のロックシステム。
【請求項１４】
前記ロック・ダガーの前記ヘッド部は、前記ロックシステムが係合した場合に、前記内側ディスク蓋部の少なくとも一部の上で重なるタブをさらに備えることを特徴とする請求項１１乃至１３の何れか１項記載のロックシステム。
【請求項１５】
前記ロック・ダガーの前記ダガー部は、前記ロックシステムが係合した場合に、最下位媒体ディスクの下方のトレイ上に重なるように構成されていることを特徴とする請求項１１乃至１４の何れか１項記載のロックシステム。
【請求項１６】
前記内側ディスク蓋部は、周囲端縁にて前方延長部をさらに備えることを特徴とする請求項１１乃至１５の何れか１項記載のロックシステム。
【請求項１７】
前記前方延長部は、前記ロック・ダガーの前記ヘッド部上に形成された各歯を収容するようなサイズとされた各開口部を備えることを特徴とする請求項１６記載のロックシステム。
【請求項１８】
前記延出部は、各側方壁部、及び前記蓋部から離れた箇所の前記各側方壁部の間に延在するブリッジ部を備えることを特徴とする請求項１１乃至１７の何れか１項記載のロックシステム。
【国際調査報告】
2004533976.tif 000079
2004533976.tif 000080